(57)【要約】【課題】  管理対象の設置後に発生したその管理対象に関する情報を、その現場にて即座に把握できるようにすること。【解決手段】  この付設マーカは、管理対象またはその管理対象近傍の構造物に取り付け可能な取付面を有するシート型ＩＣタグ１と、シート型ＩＣタグ１の取付面の反対側の面に付された、管理対象に関する初期情報を有する二次元コード１ａと、シート型ＩＣタグ１内に設けられ、管理対象に関する追加情報を記憶する不揮発性の書換可能なメモリとを備える。【選択図】  図１
2006099752.tif 000002
【特許請求の範囲】
【請求項１】
管理対象またはその管理対象近傍の構造物に取り付け可能な取付面を有するシート型ＩＣタグと、
上記シート型ＩＣタグの取付面の反対側の面に付された、上記管理対象に関する初期情報を有する二次元コードと、
上記シート型ＩＣタグ内に設けられ、上記管理対象に関する追加情報を記憶する不揮発性の書換可能なメモリと、
を備えることを特徴とする付設マーカ。
【請求項２】
前記二次元コードは、前記管理対象としての設備についての初期情報を有し、
前記メモリは、前記管理対象に関する追加情報として、前記管理対象としての設備の改修工事に関する日にち、改修工事の内容および施行業者の履歴情報を有すること、
を特徴とする請求項１記載の付設マーカ。
【請求項３】
前記二次元コードは、前記管理対象としての固定設備の周辺に設置された設置・除去自在な設備についての初期情報を有し、
前記メモリは、前記管理対象に関する追加情報として、上記設置・除去自在な設備についての設置、除去および移動のいずれかに関する履歴情報を有すること、
を特徴とする請求項１記載の付設マーカ。
【請求項４】
前記二次元コードは、前記管理対象としての土地区画についての土壌汚染度の初期情報を有し、
前記メモリは、前記管理対象に関する追加情報として、上記土壌汚染度の履歴情報を有すること、
を特徴とする請求項１記載の付設マーカ。
【請求項５】
前記二次元コードの付された面に付された、前記管理対象を示すマークを備えることを特徴とする請求項１記載の付設マーカ。
【請求項６】
請求項１から請求項５のうちのいずれか１項記載の付設マーカと、
上記付設マーカのメモリが有する追加情報と同一の情報を記憶するサーバ装置と、
上記付設マーカのメモリに対する読み出しおよび書き込みを実行可能な第１の通信部と上記サーバ装置と通信可能な第２の通信部とを有し上記付設マーカのメモリへ上記追加情報を書き込む場合、同一の情報をサーバ装置へ送信し保存させるリーダライタとを備え、
上記リーダライタは、上記付設マーカのメモリが有する追加情報を読み取れない場合または上記付設マーカのメモリが有する追加情報が改変されている場合には、上記サーバ装置からその付設マーカの追加情報を取得し、その付設マーカのメモリへ書き込むこと、
を特徴とする管理システム。
【請求項７】
前記リーダライタは、操作部を有する携帯電話機であり、
上記携帯電話機は、上記操作部に対して所定の操作が発生すると、前記第１の通信部により前記付設マーカのメモリが有する追加情報の読み取りを試み、前記付設マーカのメモリが有する追加情報を読み取れない場合または前記付設マーカのメモリが有する追加情報が改変されている場合には、前記第２の通信部によりその付設マーカの追加情報の送信要求を前記サーバ装置へ送信し、前記サーバ装置からその付設マーカの追加情報を受信し、前記第１の通信部によりその付設マーカのメモリへ書き込むこと、
を特徴とする請求項６記載の管理システム。
【請求項８】
前記リーダライタの第１の通信部により前記メモリに対する読み出しおよび書き込みができないシート型ＩＣタグと、前記リーダライタの第１の通信部との間の読み出しおよび書き込み時の通信を中継する携帯型の補助装置を備えることを特徴とする請求項６記載の管理システム。
【請求項９】
管理対象に関する初期情報を有する二次元コードを表面に付され上記管理対象に関する追加情報を記憶する不揮発性の書換可能なメモリを内蔵するシート型ＩＣタグを上記管理対象またはその管理対象近傍の構造物に取り付けるステップと、
所定のライタにより、上記二次元コードの有する初期情報に関連する追加情報を、上記シート型ＩＣタグの上記メモリに書き込むステップと、
を備えることを特徴とする管理方法。
【発明の詳細な説明】
【技術分野】
【０００１】
本発明は、管理対象またはその管理対象近傍の構造物に取り付けるための付設マーカ、並びに、その付設マーカを使用した管理システムおよび管理方法に関するものである。
【背景技術】
【０００２】
従来、各種設備、施設などの管理対象を管理する場合、その管理対象の識別などのために、その管理対象そのものまたはその管理対象近傍の構造物に、プラスティック製または金属製のプレートを設置することが多い。そのようなプレートの表面には、管理対象の識別などのための文字列（例えば、名称や識別番号）が印刷されたり刻印されたりする。
【０００３】
他方、そのような管理対象の情報を電子的に一元管理するシステムが提案されている（例えば特許文献１参照）。
【０００４】
【特許文献１】特開２００４−９４５８０号公報（要約）
【発明の開示】
【発明が解決しようとする課題】
【０００５】
しかしながら、設置後に修理、改修工事、メンテナンスなどが施される管理対象の場合、上述のようなプレート表面の情報だけ見ても、工事履歴など、設置後に発生した情報を、その現場にて把握することは困難である。また、上述のような一元管理システムを使用しても、設置後に発生した情報を、その現場にて即座に把握することは困難である。
【０００６】
本発明は、上記の問題に鑑みてなされたものであり、管理対象の設置後に発生したその管理対象に関する情報を、その現場にて即座に把握することを可能にする付設マーカ、管理システムおよび管理方法を得ることを目的とする。
【課題を解決するための手段】
【０００７】
上記の課題を解決するために、本発明では、以下のようにした。
【０００８】
本発明に係る付設マーカは、管理対象またはその管理対象近傍の構造物に取り付け可能な取付面を有するシート型ＩＣタグと、シート型ＩＣタグの取付面の反対側の面に付された、管理対象に関する初期情報を有する二次元コードと、シート型ＩＣタグ内に設けられ、上記管理対象に関する追加情報を記憶する不揮発性の書換可能なメモリとを備える。
【０００９】
これにより、シート型ＩＣタグの表面の二次元コードから現場にて即座にその管理対象の初期情報（初期状態の情報、不変的な情報など）が得られるとともに、シート型ＩＣタグに内蔵されるメモリから、管理対象の設置後に発生したその管理対象に関する情報が、その現場にて即座に得られる。また、作業後にその現場にて作業内容などをシート型ＩＣタグのメモリに即座に書き込むことができる。そのため、現場にて、修理、改修工事、メンテナンスなどに従事する作業者は、そのような情報を取得したり記録したりするために長時間作業を中断されることなく、その情報に基づいて的確な作業を行うことができる。
【００１０】
本発明に係る付設マーカは、上記付設マーカに加え、二次元コードが管理対象としての設備についての初期情報を有し、メモリが、管理対象に関する追加情報として、管理対象としての設備の改修工事に関する日にち、改修工事の内容および施行業者の履歴情報を有するものである。
【００１１】
これにより、現場にて、修理、改修工事、メンテナンスなどに従事する作業者は、過去の改修工事の情報に基づいて管理対象の現時点の状態を把握でき、管理対象に対して的確な作業を行うことができる。
【００１２】
本発明に係る付設マーカは、上記付設マーカのいずれかに加え、二次元コードが管理対象としての固定設備の周辺に設置された設置・除去自在な設備についての初期情報を有し、メモリが、管理対象に関する追加情報として、設置・除去自在な設備についての設置、除去および移動のいずれかに関する履歴情報を有するものである。
【００１３】
これにより、現場にて、修理、改修工事、メンテナンスなどに従事する作業者は、管理対象である設置・除去自在な設備についての情報を、固定設備に固定された付設マーカから取得することができ、管理対象の数が増加・減少したり、その設置位置が変化したりしても、管理対象の現時点の状態を把握でき、管理対象に対して的確な作業を行うことができる。
【００１４】
本発明に係る付設マーカは、上記付設マーカのいずれかに加え、二次元コードが、管理対象としての土地区画についての土壌汚染度の初期情報を有し、メモリが、管理対象に関する追加情報として、土壌汚染度の履歴情報を有するものである。
【００１５】
これにより、現場にて、その土地区画の土壌汚染度の履歴情報を取得することができる。
【００１６】
本発明に係る付設マーカは、上記付設マーカのいずれかに加え、二次元コードの付された面に付された、管理対象を示すマークを備える。
【００１７】
これにより、現場にて、修理、改修工事、メンテナンスなどに従事する作業者は、例えば複数の付設マーカが存在しても、自己が管理すべき管理対象についての付設マーカを簡単に見つけることができる。
【００１８】
本発明に係る管理システムは、上記したいずれかの付設マーカと、付設マーカのメモリが有する追加情報と同一の情報を記憶するサーバ装置と、付設マーカのメモリに対する読み出しおよび書き込みを実行可能な第１の通信部、およびサーバ装置と通信可能な第２の通信部を有し付設マーカのメモリへ追加情報を書き込む場合、同一の情報をサーバ装置へ送信し保存させるリーダライタとを備える。そして、リーダライタは、付設マーカのメモリが有する追加情報を読み取れない場合または付設マーカのメモリが有する追加情報が改変されている場合には、サーバ装置からその付設マーカの追加情報を取得し、その付設マーカのメモリへ書き込む。
【００１９】
これにより、シート型ＩＣタグの表面の二次元コードから現場にて即座にその管理対象の初期情報（初期状態の情報、不変的な情報など）が得られるとともに、シート型ＩＣタグに内蔵されるメモリから、管理対象の設置後に発生したその管理対象に関する情報が、その現場にて即座に得られる。また、作業後にその現場にて作業内容などをシート型ＩＣタグのメモリに即座に書き込むことができる。そのため、現場にて、修理、改修工事、メンテナンスなどに従事する作業者は、そのような情報を取得したり記録したりするために長時間作業を中断されることなく、その情報に基づいて的確な作業を行うことができる。
【００２０】
さらに、シート型ＩＣタグのメモリに記憶されるデータが壊れた場合、サーバ装置に記憶された情報を使用して、シート型ＩＣタグのメモリに記憶されるデータを復元することができるため、シート型ＩＣタグのメモリ内のデータの信頼性が向上する。
【００２１】
また、本発明に係る管理システムは、上記管理システムに加え、リーダライタを次のようにしたものである。リーダライタは、操作部を有する携帯電話機である。その携帯電話機は、操作部に対して所定の操作が発生すると、第１の通信部により付設マーカのメモリが有する追加情報の読み取りを試み、付設マーカのメモリが有する追加情報を読み取れない場合または付設マーカのメモリが有する追加情報が改変されている場合には、第２の通信部によりその付設マーカの追加情報の送信要求をサーバ装置へ送信し、サーバ装置からその付設マーカの追加情報を受信し、第１の通信部によりその付設マーカのメモリへ書き込む。
【００２２】
これにより、１回の操作で、付設マーカのメモリ内の追加情報が壊れていないか、壊れている場合の復元を行うことが簡単にできる。
【００２３】
また、本発明に係る管理システムは、上記管理システムのいずれかに加え、リーダライタの第１の通信部によりメモリに対する読み出しおよび書き込みができないシート型ＩＣタグと、リーダライタの第１の通信部との間の読み出しおよび書き込み時の通信を中継する携帯型の補助装置を備える。
【００２４】
これにより、複数のベンダのリーダライタやシート型ＩＣタグの通信方式に不整合がある場合にも、携帯型の補助装置により、現場にて、円滑に、メモリに対する情報の取得および書き込みを行うことができる。
【００２５】
本発明に係る管理方法は、管理対象に関する初期情報を有する二次元コードを表面に付され管理対象に関する追加情報を記憶する不揮発性の書換可能なメモリを内蔵するシート型ＩＣタグを管理対象またはその管理対象近傍の構造物に取り付けるステップと、所定のライタにより、二次元コードの有する初期情報に関連する追加情報を、シート型ＩＣタグのメモリに書き込むステップとを備える。
【００２６】
これにより、シート型ＩＣタグの表面の二次元コードから現場にて即座にその管理対象の初期情報（初期状態の情報、不変的な情報など）が得られるとともに、シート型ＩＣタグに内蔵されるメモリから、管理対象の設置後に発生したその管理対象に関する情報が、その現場にて即座に得られる。そのため、現場にて、修理、改修工事、メンテナンスなどに従事する作業者は、そのような情報を取得したり記録したりするために長時間作業を中断されることなく、その情報に基づいて的確な作業を行うことができる。
【発明の効果】
【００２７】
本発明によれば、管理対象の設置後に発生したその管理対象に関する情報を、その現場にて即座に把握することを可能にする付設マーカ、管理システムおよび管理方法を得ることができる。
【発明を実施するための最良の形態】
【００２８】
以下、図に基づいて本発明の実施の形態を説明する。
【００２９】
実施の形態１．
図１は、本発明の実施の形態１に係る付設マーカの構成を示す平面図である。図１において、シート型ＩＣタグ１は、管理対象またはその管理対象近傍の構造物に取り付け可能な取付面を有するシート型ＩＣタグである。このシート型ＩＣタグ１は、金属性の構造物に貼り付けた状態で無線通信可能な平板状のＩＣタグである。このようなシート型ＩＣタグ１としては、三菱マテリアル株式会社製のオンメタル型ＲＦＩＤがある。この実施の形態１では、シート型ＩＣタグ１の平面形状は、略長方形である。
【００３０】
シート型ＩＣタグ１の貼り付け面（図１に図示されている面の反対側の面）とは反対側の面には、光学的に読取可能な二次元コード１ａと、人間により読解可能な文字情報１ｂが記載される。
【００３１】
二次元コード１ａは、シート型ＩＣタグ１の取付面の反対側の面に付された、管理対象に関する初期情報を有する光学的に読取可能な二次元コードである。つまり、この二次元コード１ａは、管理対象に関する初期情報をエンコードして得られるものである。また、この二次元コード１ａとしては、例えばＱＲコード（登録商標）が使用される。なお、二次元コード１ａは、印刷によりシート型ＩＣタグ１の表面に付してもよいし、シールとして作成された二次元コード１ａをシート型ＩＣタグ１に貼るようにしてもよい。
【００３２】
文字情報１ｂは、人間の目視により、この付設マーカに対応する管理対象を識別可能とするための文字情報である。
【００３３】
なお、シート型ＩＣタグ１の図示せぬ取付面には、両面テープなどの接着手段を設けてもよい。
【００３４】
図２は、実施の形態１に係る付設マーカの電気的な構成を示すブロック図である。図２において、アンテナ１１は、図示せぬリーダライタからの電波を感受するとともにリーダライタへ電波を放射するアンテナである。また、制御回路１２は、リーダライタからの指令に応じて、ＲＯＭ１３やメモリ１４からデータを読み出したり、メモリ１４にデータを書き込んだりする回路である。
【００３５】
ＲＯＭ１３は、このシート型ＩＣタグ１の識別子１３ａなどを記憶した書換できないメモリである。メモリ１４は、シート型ＩＣタグ１内に設けられ、書換可能な不揮発性の半導体メモリであって、二次元コード１ａの初期情報に対応した、管理対象に関する追加情報を管理情報１４ａとして記憶する。
【００３６】
なお、二次元コード１ａおよびメモリ１４は、管理対象の初期情報および追加情報として、例えば、以下の情報を有する。
【００３７】
例えば、二次元コード１ａは、管理対象としての設備についての初期情報を有し、メモリ１４は、管理対象に関する追加情報として、管理対象としての設備の改修工事に関する日にち、改修工事の内容および施行業者の履歴情報を有する。
【００３８】
また、例えば、二次元コード１ａは、管理対象としての固定設備の周辺に設置された設置・除去自在な設備についての初期情報を有し、メモリ１４は、管理対象に関する追加情報として、設置・除去自在な設備についての設置、除去および移動のいずれかに関する履歴情報を有する。
【００３９】
また、例えば、二次元コード１ａは、管理対象としての土地区画についての土壌汚染度の初期情報を有し、メモリ１４は、管理対象に関する追加情報として、土壌汚染度の履歴情報を有する。
【００４０】
なお、必要に応じて他の種類の初期情報および追加情報を二次元コード１ａおよびメモリ１４に保存するようにしてもよいし、上述の初期情報および追加情報を組み合せて保存するようにしてもよい。
【００４１】
図３は、実施の形態１に係る付設マーカの設置例を示す図である。図３に示す例において、付設マーカ１０１ｂは、図１の付設マーカと同様のものである。付設マーカ１０１ｂの表面には二次元コード１ａが記載される。付設マーカ１０１ｂの二次元コード１ａには、付設マーカ１０１ｂ設置時に存在する、家屋１０１の敷地の境界などに埋設された管理対象としての杭１０２の管理情報（例えば設置日、管理者、杭の数、各杭の位置）が初期情報としてコーディングされる。そして、杭１０２近傍の構造物である家屋１０１の壁１０１ａに付設マーカ１０１ｂが設置される。この付設マーカ１０１ｂは、家屋１０１の壁１０１ａに、釘、ネジ、接着剤などで固定される。
【００４２】
そして、新たな杭１０２を設置したり、既存の杭１０２を除去したり、既存の杭１０２の位置を変更したりした場合には、図示せぬリーダライタを使用して、付設マーカ１０１ｂのＩＣタグ１に、二次元コード１ａに含まれる初期情報に対する追加情報（例えば情報追加日、杭の数、杭の位置）が、メモリ１４に適宜書き込まれる。
【００４３】
次に、上記付設マーカからの情報の読み出しおよび情報の書き込みの際の処理について説明する。付設マーカからの情報の読み出しおよび情報の書き込みの際には、所定のリーダライタが使用される。そのリーダライタは、光学的に二次元コード１ａを撮像するカメラと、その二次元コード１ａの画像をデコードしてエンコードされている情報を抽出するデコーダと、シート型ＩＣタグ１と通信し追加情報の読み書きを行う通信部とを有する。
【００４４】
実施の形態１に係る付設マーカから初期情報を読み出す際には、リーダライタが二次元コード１ａを撮像し、その二次元コードをデコードして初期情報を抽出する。
【００４５】
実施の形態１に係る付設マーカへ追加情報を書き込む際には、リーダライタが書込指令およびデータを送信する。その際、シート型ＩＣタグ１では、アンテナ１１がリーダライタからの電波を感受し、制御回路１２が、リーダライタからの指令に応じて、メモリ１４に追加情報のデータを書き込む。
【００４６】
実施の形態１に係る付設マーカから追加情報を読み出す際には、リーダライタが読出指令を送信しデータを受信する。その際、シート型ＩＣタグ１では、制御回路１２が、リーダライタからの指令に応じて、メモリ１４から追加情報のデータを読み出し、アンテナ１１がそのデータを電波として放射する。
【００４７】
以上のように、上記実施の形態１に係る付設マーカは、管理対象またはその管理対象近傍の構造物に取り付け可能な取付面を有するシート型ＩＣタグ１と、シート型ＩＣタグ１の取付面の反対側の面に付された、管理対象に関する初期情報を有する二次元コード１ａと、シート型ＩＣタグ１内に設けられ、管理対象に関する追加情報を管理情報１４ａとして記憶する不揮発性の書換可能なメモリ１４とを備える。これにより、シート型ＩＣタグ１の表面の二次元コードから現場にて即座にその管理対象の初期情報（初期状態の情報、不変的な情報など）が得られるとともに、シート型ＩＣタグ１に内蔵されるメモリ１４から、管理対象の設置後に発生したその管理対象に関する情報が、その現場にて即座に得られる。また、作業後にその現場にて作業内容などをシート型ＩＣタグ１のメモリ１４に即座に書き込むことができる。そのため、現場にて、修理、改修工事、メンテナンスなどに従事する作業者は、そのような情報を取得したり記録したりするために長時間作業を中断されることなく、その情報に基づいて的確な作業を行うことができる。
【００４８】
また、上記実施の形態１において、二次元コード１ａが、管理対象としての設備についての初期情報を有し、メモリ１４が、管理対象に関する追加情報として、管理対象としての設備の改修工事に関する日にち、改修工事の内容および施行業者の履歴情報を有する場合、現場にて、修理、改修工事、メンテナンスなどに従事する作業者は、過去の改修工事の情報に基づいて管理対象の現時点の状態を把握でき、管理対象に対して的確な作業を行うことができる。例えば、電気的な配線、ＬＡＮ（Local Area Network）等の通信配線が管理対象であり付設マーカが配線敷設場所の近傍の壁、天井、床などに取り付けられている場合には、改修工事により、使用線材・線種、配線経路などが変更されることがよくあり、特に上記効果は顕著となる。
【００４９】
また、上記実施の形態１において、二次元コード１ａが、管理対象としての固定設備の周辺に設置された設置・除去自在な設備についての初期情報を有し、メモリ１４が、管理対象に関する追加情報として、設置・除去自在な設備についての設置、除去および移動のいずれかに関する履歴情報を有する場合、現場にて、修理、改修工事、メンテナンスなどに従事する作業者は、管理対象である設置・除去自在な設備についての情報を、固定設備に固定された付設マーカから取得することができ、管理対象の数が増加・減少したり、その設置位置が変化したりしても、管理対象の現時点の状態を把握でき、管理対象に対して的確な作業を行うことができる。
【００５０】
また、上記実施の形態１において、二次元コード１ａが、管理対象としての土地区画についての土壌汚染度の初期情報を有し、メモリ１４が、管理対象に関する追加情報として、土壌汚染度の履歴情報を有する場合には、現場にて、その土地区画の土壌汚染度の履歴情報を取得することができる。
【００５１】
実施の形態２．
本発明の実施の形態２に係る管理システムは、実施の形態１に係る付設マーカを使用した管理システムである。図４は、本発明の実施の形態２に係る管理システムの構成を示すブロック図である。図４において、付設マーカ３１は、実施の形態１に係る付設マーカと同様のものである。また、携帯端末装置３２は、実施の形態１で述べたリーダライタの一種であって、ベースバンド部５１、カメラ５２、無線通信部５３、表示部５４、操作部５５、制御部５６およびメモリ５７を有する。なお、この携帯端末装置３２には、カメラ付きの携帯電話機を利用することができる。また、サーバ装置３３は、付設マーカ３１に記憶されている追加情報と同一の情報を保存するサーバ装置である。
【００５２】
携帯端末装置３２において、ベースバンド部５１は、アンテナを介して基地局との間で無線通信を行い、電話音声信号および／またはデータの送受を行う回路群である。なお、ベースバンド部５１は、サーバ装置３３と通信を行う第２の通信部として機能する。カメラ５２は、例えばＣＣＤ（Ｃｈａｒｇｅ  Ｃｏｕｐｌｅｄ  Ｄｅｖｉｃｅ）などの撮像素子およびその駆動回路で構成された撮像手段である。
【００５３】
また、無線通信部５３は、例えばブルーツース（商標）などの近距離型の無線通信方式で、近隣の外部機器との間で非接触での通信が可能な第１の通信部としての装置である。
【００５４】
また、表示部５４は、例えば液晶ディスプレイなどの表示装置およびその駆動回路である。操作部５５は、ユーザ操作を受け付けるとそれに応じた電気信号を生成するキースイッチなどである。
【００５５】
制御部５６は、マイクロプロセッサおよびそれにより実行されるプログラムを記憶するＲＯＭを有し、携帯端末装置３２における各部を制御する。また、制御部５６は、無線通信部５３を制御して、付設マーカ３１に対して、追加情報の書き込みおよび読み出しを実行する機能を有する。メモリ５７は、制御部５６のマイクロプロセッサにより実行されるアプリケーションプログラムやその実行に必要なデータを記憶するメモリである。
【００５６】
また、サーバ装置３３において、ＣＰＵ６１は、プログラムを実行し、プログラムに記述された処理を実行する演算処理装置である。また、ＲＯＭ６２は、プログラムおよびデータを予め記憶した不揮発性のメモリである。また、ＲＡＭ６３は、プログラムを実行する際にそのプログラムおよびデータを一時的に記憶するメモリである。通信装置６４は、ネットワークインタフェース、モデムなどといった通信手段としての装置であって、通信網７１に直接的にまたは間接的に接続可能なものである。格納装置６５は、データなどの格納する装置であって、各付設マーカ３１内の追加情報と同一の情報を含むマーカテーブル６５ａを格納する。
【００５７】
また、通信網７１は、電話網や、インターネット、ＬＡＮなどのコンピュータネットワークといったデータ通信可能な通信網である。無線基地局７１ａは、通信網７１に接続され、携帯端末装置３２と無線通信可能な通信設備である。
【００５８】
次に、上記システムの各装置の動作について説明する。
【００５９】
まず、付設マーカ３１への追加情報書き込み時の処理について説明する。
【００６０】
携帯端末装置３２では、表示部５４および操作部５５によるユーザインタフェースを通じて追加情報が入力される。そして、操作部５５に対して所定の操作があると、制御部５６は、無線通信部５３を制御し、その入力された追加情報を付設マーカ３１のメモリ１４に書き込む。その際、制御部５６は、さらに、ベースバンド部５１を制御して、通信網７１を介してサーバ装置３３に接続し、その追加情報を付設マーカ３１の識別情報とともにサーバ装置３３へ送信する。サーバ装置３３では、通信装置６４がそれらの情報を受信し、ＣＰＵ６１が所定のサーバプログラムに従って、付設マーカ３１の識別情報に関連付けてその追加情報を格納装置６５のマーカテーブル６５ａへ格納する。なお、付設マーカ３１の識別情報は、二次元コード１ａにコーディングしておき二次元コード１ａから取得してもよいし、シート型ＩＣタグ１から取得可能な識別子１３ａとしてもよい。
【００６１】
次に、付設マーカ３１からの追加情報読み出し時の処理について説明する。
【００６２】
携帯端末装置３２では、操作部５５に対して所定の操作があると、制御部５６は、無線通信部５３を制御し、付設マーカ３１のメモリ１４に記憶されている追加情報を取得し、その追加情報を表示部５４に表示させる。
【００６３】
その際、制御部５６は、付設マーカ３１のメモリ１４が有する追加情報を読み取れない場合、または読み取った追加情報が有意なデータではない場合、自動的に、ベースバンド部５１を制御してサーバ装置３３へ接続し、サーバ装置３３からその付設マーカ３１の追加情報を取得し、その付設マーカ３１のメモリ１４へ書き込む。そのとき、制御部５６は、付設マーカ３１の識別情報を付した送信要求を、サーバ装置３３へ送信する。サーバ装置３３の通信装置６４は、その送信要求を受信し、ＣＰＵ６１は、識別情報をキーとしてマーカテーブル６５ａを検索し、通信装置６４は、ヒットした付設マーカ３１の追加情報を送信要求の応答として携帯端末装置３２へ送信する。
【００６４】
なお、付設マーカ３１への追加情報書き込み時に、制御部５６が、ベースバンド部５１を制御してサーバ装置３３へ接続し、サーバ装置３３からその付設マーカの追加情報を取得し、付設マーカ３１から取得した追加情報とサーバ装置３３から取得した追加情報とを比較し、付設マーカ３１のメモリ１４が有する追加情報が改変されている場合には、サーバ装置３３から取得した追加情報を付設マーカ３１のメモリ１４へ書き込むようにしてもよい。
【００６５】
なお、携帯端末装置３２は、メモリ５７にウェブブラウザプログラムを有し、制御部５６によりそのウェブブラウザプログラムを実行し、サーバ装置３３は、ＨＴＴＰ（HyperText Transfer Protocol）サーバプログラムを実行し、携帯端末装置３２とサーバ装置３３は、両者間の通信をＨＴＴＰに従って行うようにしてもよい。この場合、制御部５６は、ベースバンド部５１とともに、サーバ装置３３との通信を行う第２の通信部として機能する。
【００６６】
あるいは、携帯端末装置３２は、メモリ５７に電子メーラープログラムを有し、制御部５６によりその電子メーラープログラムを実行し、サーバ装置３３は、電子メールサーバプログラムを実行し、携帯端末装置３２とサーバ装置３３は、両者間の通信を電子メールにて行うようにしてもよい。この場合、例えば、携帯端末装置３２がＰＯＰ（Post Office Protocol）３クライアントとなりサーバ装置３３がＰＯＰ３サーバとなったり、携帯端末装置３２とサーバ装置３３がＳＭＴＰ（Simple Mail Transfer Protocol ）サーバとなったりする。この場合、制御部５６は、ベースバンド部５１とともに、サーバ装置３３との通信を行う第２の通信部として機能する。
【００６７】
以上のように、上記実施の形態２に係る管理システムは、サーバ装置３３は、付設マーカ３１のメモリ１４が有する追加情報（管理情報１４ａ）と同一の情報を記憶する。携帯端末装置３２は、付設マーカ３１のメモリ１４に対する読み出しおよび書き込みを実行可能な無線通信部５３とサーバ装置３３と通信可能なベースバンド部５１を有し、付設マーカ３１のメモリ１４へ追加情報を書き込む場合、同一の情報をサーバ装置３３へ送信し保存させる。さらに、携帯端末装置３２は、付設マーカ３１のメモリ１４が有する追加情報を読み取れない場合または付設マーカ３１のメモリが有する追加情報が改変されている場合には、サーバ装置３３からその付設マーカ３１の追加情報を取得し、その付設マーカ３１のメモリ１４へ書き込む。
【００６８】
これにより、付設マーカ３１のシート型ＩＣタグ１のメモリ１４に記憶されるデータが壊れた場合、サーバ装置３３に記憶された情報を使用して、シート型ＩＣタグ１のメモリ１４に記憶されるデータを復元することができるため、シート型ＩＣタグ１のメモリ１４内のデータの信頼性が向上する。
【００６９】
また、上記実施の形態２では、携帯端末装置３２は、操作部５５を有する携帯電話機である。この場合、操作部５５に対して所定の操作が発生すると、制御部５６は、無線通信部５３により付設マーカ３１のメモリ１４が有する管理情報１４ａの読み取りを試み、付設マーカ３１のメモリ１４が有する管理情報１４ａを読み取れない場合または付設マーカ３１のメモリ１４が有する管理情報１４ａが改変されている場合には、その付設マーカ３１の管理情報の送信要求をサーバ装置３３へ送信し、サーバ装置３３からその付設マーカ３１の管理情報を受信し、その付設マーカ３１のメモリ１４へ書き込む。
【００７０】
これにより、１回の操作で、付設マーカのメモリ内の追加情報が壊れていないか、壊れている場合の復元を行うことが簡単にできる。
【００７１】
実施の形態３．
本発明の実施の形態３に係る管理システムは、実施の形態２に係る管理システムのおいて、付設マーカと携帯端末装置との通信に補助装置を使用するようにした管理システムである。図５は、本発明の実施の形態３に係る管理システムの構成を示すブロック図である。なお、実施の形態２のサーバ装置３３および通信網７１も存在するが、その記載は省略する。
【００７２】
図５において、補助装置８１は、携帯端末装置３２の無線通信部５３が、通信方式の違いに起因して、付設マーカ３１のメモリ１４に対する読み出しおよび書き込みができない場合に、付設マーカ３１のシート型ＩＣタグ１と携帯端末装置３２の無線通信部５３との間の読み出しおよび書き込み時の通信を中継する携帯型の補助装置である。
【００７３】
補助装置８１において、通信部９１は、無線通信部５３と通信可能な通信部である。また、通信部９２は、シート型ＩＣタグ１と通信可能な通信部である。制御部９３は、通信部９１，９２を制御して、通信部９１には、無線通信部５３の通信方式で通信を実行させ、通信部９２には、シート型ＩＣタグ１の通信方式で通信を実行させる回路である。
【００７４】
なお、実施の形態３におけるその他の構成要素については、実施の形態２のものと同様であるので、その説明を省略する。ただし、この実施の形態３では、携帯端末装置３２の無線通信部５３の通信方式と付設マーカ３１のシート型ＩＣタグ１の通信方式とが一致しておらず、両者が直接通信を行うことはできない。
【００７５】
次に、上記システムの各装置の動作について説明する。
【００７６】
携帯端末装置３２と付設マーカ３１との通信が必要であるとき、補助装置８１が両者の近傍に配置される。そして、必要に応じて、制御部９３は、通信部９１，９２を制御し、所定の設定あるいは図示せぬ操作部に対するユーザの操作入力に基づいて、通信部９１の通信方式を無線通信部５３の通信方式に合わせ、通信部９２の通信方式をシート型ＩＣタグの通信方式に合わせる。
【００７７】
その後、補助装置８１の通信部９１は、無線通信部５３から送信されたデータを受信すると、そのデータを通信部９２に転送する。通信部９２は、そのデータをシート型ＩＣタグ１に送信する。一方、補助装置８１の通信部９２は、シート型ＩＣタグ１から送信されたデータを受信すると、そのデータを通信部９１に転送する。通信部９１は、そのデータをシート型ＩＣタグ１に送信する。
【００７８】
なお、実施の形態３におけるその他の装置の動作については、実施の形態２のものと同様であるので、その説明を省略する。
【００７９】
以上のように、上記実施の形態３によれば、補助装置８１は、携帯端末装置３２の無線通信部５３によりメモリ１４に対する読み出しおよび書き込みができないシート型ＩＣタグ１と、携帯端末装置３２の無線通信部５３との間の読み出しおよび書き込み時の通信を中継する。
【００８０】
これにより、複数のベンダのリーダライタ（携帯端末装置３２）やシート型ＩＣタグ１の通信方式に不整合がある場合にも、携帯型の補助装置８１により、現場にて、円滑に、メモリ１４に対する情報の取得および書き込みを行うことができる。
【００８１】
実施の形態４．
本発明の実施の形態４に係る付設マーカは、シート型ＩＣタグ１の表面に、管理対象の示すマーク１ｃを付したものである。
【００８２】
図６は、本発明の実施の形態４に係る付設マーカの構成を示す平面図である。図６において、シート型ＩＣタグ１および二次元コード１ａは、実施の形態１のものと同様のものである。シート型ＩＣタグ１の貼り付け面（図６に図示されている面の反対側の面）とは反対側の面には、二次元コード１ａと、管理対象を示すマーク１ｃが記載される。また、マーク１ｃは、管理対象を示すマークであり、図形またはロゴとされる。さらに、マーク１ｃは、複数の付設マーカが設置される場合に、１つの共通なマークとされる。これにより、同一種類の管理対象を巡回する作業者は、管理対象を簡単に判別することができる。
【００８３】
図６に示す付設マーカは、管理対象を水道設備とした場合のものである。このため、図６に示す付設マーカのマーク１ｃは、水道を象徴する蛇口をイラスト化したものとされている。なお、電気、ガス、電話などの他の設備が管理対象である場合には、その管理対象を象徴するイラストをマーク１ｃとすればよい。また、規格、国際ルールなどにより決められた図記号をマーク１ｃとしてもよい。
【００８４】
実施の形態４に係る付設マーカの電気的な構成は、実施の形態１（図２）のものと同様である。なお、図６に示す付設マーカは、水道設備のためのものであるので、二次元コード１ａおよびメモリ１４には、水道メータ、水道管などについての初期情報および追加情報が格納される。
【００８５】
また、図６に示す付設マーカは、図３に示す付設マーカ１０１ｂとして、実施の形態１と同様に設置可能である。
【００８６】
なお、上記付設マーカからの情報の読み出しおよび情報の書き込みの際の処理については、実施の形態１の場合と同様であるので、その説明を省略する。
【００８７】
以上のように、上記実施の形態４に係る付設マーカは、二次元コード１ａの付された面に付された、管理対象を示すマーク１ｃを備える。
【００８８】
これにより、現場にて、修理、改修工事、メンテナンスなどに従事する作業者は、例えば複数の付設マーカが存在しても、自己が管理すべき管理対象についての付設マーカを簡単に見つけることができる。
【００８９】
実施の形態５．
本発明の実施の形態５に係る付設マーカは、シート型ＩＣタグ１の表面に、管理対象周辺を表す周辺地図１ｄを付したものである。
【００９０】
図７は、本発明の実施の形態５に係る付設マーカの構成を示す平面図である。図７において、シート型ＩＣタグ１および二次元コード１ａは、実施の形態１のものと同様のものである。シート型ＩＣタグ１の貼り付け面（図７に図示されている面の反対側の面）とは反対側の面には、二次元コード１ａと、文字情報１ｂと、管理対象および付設マーカの設置場所周辺を表した周辺地図１ｄが記載される。
【００９１】
実施の形態５に係る付設マーカの電気的な構成は、実施の形態１（図２）のものと同様である。また、実施の形態５に係る付設マーカは、図３に示す付設マーカ１０１ｂとして、実施の形態１と同様に設置可能である。
【００９２】
なお、上記付設マーカからの情報の読み出しおよび情報の書き込みの際の処理については、実施の形態１の場合と同様であるので、その説明を省略する。
【００９３】
以上のように、上記実施の形態５に係る付設マーカは、二次元コード１ａの付された面に付された、周辺地図１ｄを備える。
【００９４】
これにより、現場にて、修理、改修工事、メンテナンスなどに従事する作業者は、例えば複数の管理対象を巡回する場合でも、周辺地図１ｄにより現在位置を把握して複数の管理対象を巡回し易くなる。
【００９５】
なお、上述の各実施の形態は、本発明の好適な例であるが、本発明は、これらに限定されるものではなく、本発明の要旨を逸脱しない範囲において、種々の変形、変更が可能である。
【００９６】
例えば、上記各実施の形態では、二次元コード１ａとしてＱＲコード（登録商標）を使用しているが、他の光学的な２次元コード（例えば、ＰＤＦ４１７、ＤａｔａＭａｔｒｉｘ、ＭａｘｉＣｏｄｅなど）を使用するようにしてもよい。
【００９７】
また、上記各実施の形態では、シート型ＩＣタグ１の貼り付け面とは反対側の面に、二次元コード１ａ、文字情報１ｂ、マーク１ｃ、および／または、周辺地図１ｄを記載するようにした。しかし、これらの情報を記載しないで、貼り付け面とは反対側の面を無表示の状態にすることも可能である。あるいは、二次元コード１ａ、文字情報１ｂ、マーク１ｃ、および／または、周辺地図１ｄのみを記載し、ＩＣ（アンテナ１１、制御回路１２、ＲＯＭ１３、および、メモリ１４）を有しない状態としてもよい。すなわち、単なるプラスティック等の板状部材の一面（貼り付け面とは反対側の面）に、二次元コード１ａ、文字情報１ｂ、マーク１ｃ、および／または、周辺地図１ｄのみを記載するようにしてもよい。
【００９８】
また、上記各実施の形態では、シート型ＩＣタグ１の貼り付け面とは反対側の面に、二次元コード１ａを記載するようにした。しかし、二次元コード１ａではなく、例えば、太さの異なる多数の黒い線（バー）の組み合わせによって数字などのコードを表示したいわゆるバーコードによって初期情報を記憶するようにしてもよい。
【００９９】
また、上記各実施の形態において、シート型ＩＣタグ１の貼り付け面とは反対側の面に対して、所定のコーティング材を塗布し、当該面に記載された情報（二次元コード１ａ、文字情報１ｂ、マーク１ｃ、および／または、周辺地図１ｄ）を保護するようにすることも可能である。なお、コーティング材としては、例えば、道路標識のコーティング材として用いられてる、フッ化ビニリデンを用いることができる。フッ化ビニリデンは、紫外線に強く、傷、汚れ、いたずら書きに強いという性質を有しているので、当該面に記載された情報を、例えば、１０年以上に亘って確実に保護することができる。したがって、このようなコーティング材を用いることにより、シート型ＩＣタグ１を長期に亘って安定して使用することができるとともに、取り替え作業等に係るコストを削減することができる。
【産業上の利用可能性】
【０１００】
本発明は、例えば各種設備や土地区画の管理に適用可能である。
【図面の簡単な説明】
【０１０１】
【図１】図１は、本発明の実施の形態１に係る付設マーカの構成を示す平面図である。
【図２】図２は、実施の形態１に係る付設マーカの電気的な構成を示すブロック図である。
【図３】図３は、実施の形態１に係る付設マーカの設置例を示す図である。
【図４】図４は、本発明の実施の形態２に係る管理システムの構成を示すブロック図である。
【図５】図５は、本発明の実施の形態３に係る管理システムの構成を示すブロック図である。
【図６】図６は、本発明の実施の形態４に係る付設マーカの構成を示す平面図である。
【図７】図７は、本発明の実施の形態５に係る付設マーカの構成を示す平面図である。
【符号の説明】
【０１０２】
１  シート型ＩＣタグ，１ａ  二次元コード，１ｃ  マーク，１４  メモリ，１４ａ  管理情報（追加情報），３１，１０１ｂ  付設マーカ，３２  携帯端末装置（リーダライタ），３３  サーバ装置，５１  ベースバンド部（第２の通信部），５３  無線通信部（第１の通信部），５５  操作部，５６  制御部（第２の通信部），８１  補助装置，１０１  家屋（構造物），１０２  杭（管理対象）
【図１】
2006099752.tif 000003
【図２】
2006099752.tif 000004
【図３】
2006099752.tif 000005
【図４】
2006099752.tif 000006
【図５】
2006099752.tif 000007
【図６】
2006099752.tif 000008
【図７】
2006099752.tif 000009